(57)【要約】    【課題】  短時間で良好な収束状態が得られ収束の安定性も良好な自動等化器を提供すること。    【解決手段】  磁気ヘッド１で再生した信号ｘをデジタルフィルタ４で処理して等化する際、加算器７で、復号回路５の出力信号ｄからデジタルフィルタ４の出力ｙを減算して誤差ε(ε＝ｄ−ｙ)を取り出し、この誤差εを適応制御部９に供給し、係数メモリ１０からヘッド当たり波形Ａの各位置に対応したタップ係数Ｔの組合わせがデジタルフィルタ４に入力され、最適な等化特性がデジタルフィルタ４により自動的に与えられるようにした自動等化器１５において、時定数フィルタ回路８を設け、誤差εに時定数を与えるようにすると共に、磁気ヘッド１で再生した信号ｘのレベルをエンベローブ検波回路１１で検出し、この信号ｘのレベルに応じて適用制御部９が時定数フィルタ回路８に制御信号ｃを供給し、信号ｘのレベルに応じて時定数フィルタ回路８のフィルタ時定数を制御するようにしたもの。    【選択図】  図１
2005174472.tif 000002
【特許請求の範囲】
【請求項１】
再生信号に対する等化特性を等化誤差に応じて制御するようにした自動等化器において、
前記等化誤差に対してフィルタ処理を行う時定数フィルタ手段を設け、
該時定数フィルタ手段の特性パラメータを、前記再生信号のレベルに応じて制御することを特徴とする自動等化器。
【請求項２】
請求項１に記載の自動等化器において、
前記特性パラメータは、前記再生信号のエンベロープ波形のレベル変動に基づいて算出されることを特徴とする自動等化器。
【請求項３】
請求項１に記載の自動等化器において、
前記特性パラメータは、前記再生信号のエンベロープ波形の最大値及び最小値に基づいて算出されることを特徴とする自動等化器。
【請求項４】
請求項１に記載の自動等化器において、
前記特性パラメータは、前記再生信号のエンベロープ波形のレベルの傾斜に基づいて算出されることを特徴とする自動等化器。
【請求項５】
請求項１に記載の自動等化器において、
前記特性パラメータは、前記再生信号のエンベロープ波形のレベル変動及び前記レベル変動の時間変動に基づいて算出されることを特徴とする自動等化器。
【請求項６】
請求項１に記載の自動等化器において、
前記特性パラメータは、前記再生信号のエンベロープ波形のレベル変動が所定の基準値を越えたか否かに基づいて制御されることを特徴とする自動等化器。
【請求項７】
請求項１に記載の自動等化器において、
前記特性パラメータは、前記再生信号のエンベロープ波形のレベル変動と、前記再生信号のエンベロープ波形のレベル変動の時間変動が、所定の基準値を越えたか否かに基づいて制御されることを特徴とする自動等化器。
【請求項８】
請求項１に記載の自動等化器において、
前記再生信号のエンベロープ検波情報を保持するメモリ回路が備けられ、
前記特性パラメータは、前記メモリ回路に保持されている前記エンベロープ検波情報に基づいて算出されることを特徴とする自動等化器。
【請求項９】
再生信号に対する等化特性を等化誤差に応じて制御するようにした自動等化方法において、
前記再生信号のエンベロープ検波により当該再生信号のレベルを検出する処理ステップと、
前記再生信号のレベルに基づいて、前記等化誤差に対してフィルタ処理を行う時定数フィルタ手段のフィルタ時定数特性を制御する処理ステップとを含むことを特徴とする自動等化方法。
【請求項１０】
再生信号に対する等化特性を等化誤差に応じて制御するようにした自動等化処理の実行に必要なプログラムを格納した記憶媒体であって、
前記プログラムにより実行される処理ステップが、
前記再生信号のエンベロープ検波により当該再生信号のレベルを検出する処理ステップと、前記再生信号のレベルに基づいて、前記等化誤差に対してフィルタ処理を行う時定数フィルタ手段のフィルタ時定数特性を制御する処理ステップとを含むことを特徴とする自動等化プログラムを格納した記憶媒体。
【発明の詳細な説明】
【技術分野】
【０００１】
本発明は、記録媒体からデジタル信号を再生する際の等化手段に係り、特に、デジタル再生装置に内蔵して使用される自動等化器と自動等化方法及び自動等化プログラムを格納した記憶媒体に関するものである。
【背景技術】
【０００２】
磁気ディスク、磁気テープ(デジタルＶＴＲの場合)などの記録媒体に記録された情報を再生するデジタル再生装置では、記録媒体から読取った信号をデジタル信号に変換し、等化処理と誤り訂正処理を施した後、復号部においてデコードすることにより、記録媒体から読み取った情報が再生される。
【０００３】
ここで、上記したように、等化処理と誤り訂正処理を施しているのは、デジタルデータをデジタル再生装置から再生したり通信したりする際、信号中に発生するエラーを低減するためである。
【０００４】
このときの等化処理は、一般的には、再生信号に対して振幅及び位相に基づく周波数特性を補償する処理であり、このためデジタル再生装置には波形等化器が備えられている。そして、この波形等化器としては、トランスバーサルフィルタによるものが挙げられる。
【０００５】
ところで、デジタル再生装置の場合、記録媒体から読み取られる再生信号は、記録したときの信号の状態、再生系システム、通信経路の周波数特性などが一定ではなく、このため再生信号の状態も逐次変動するものになっている。
【０００６】
また、この記録媒体に記録されているデータは、経時変化や環境変化などの要因によっても変化する可能性があり、従って、一律に処理を施したのでは充分な等化が期待できない。
【０００７】
そこで、このような再生信号に発生する変動を検出して、これに応じて等化器の等化特性を逐次変化させることにより、常に最適な等化を行い、安定した再生が行われるようにするため、自動等化器が広く利用されている。
【０００８】
ここで、上記した再生信号に発生する変動のうち、特に記録メディアとして磁気テープを使用するデジタルＶＴＲなどにおいては、回転磁気ヘッドと磁気テープの接触状態、いわゆるヘッド当りと呼ばれる状況が原因となる再生ＲＦ信号波形の変動がある。
【０００９】
そこで、このようなデジタルＶＴＲなどにおける再生ＲＦ信号波形の変動について、図６により説明すると、ここで、まず図のＡは、回転磁気ヘッドを備えた磁気再生装置において、互いに１８０°の角度割りを持って設置された一対の磁気ヘッドの一方から得られる再生ＲＦ信号のエンベロープ波形を示したものである。
【００１０】
そして、この図６の波形Ａに拠れば、テープとヘッドの接触開始点Ｐa から接触終了点Ｐb までの期間(１スキャン期間)中、再生信号のレベルに変動が現われていることが判る。
【００１１】
ところで、このようにレベル変動のある再生ＲＦ信号に対して等化処理を施す場合、１スキャン期間中、連続して等化器特性を追従させる方式の自動等化器が一般的である。
【００１２】
一方、これとは別に、図６の波形Ａに示されている１スキャン期間の中で、同図Ｂに示すパルスのタイミングでだけ、再生ＲＦ信号のデータに基づいて等化特性を最適化する方式の自動等化器も従来技術として知られている(例えば、特許文献１参照。)。
【００１３】
そこで、この従来技術による自動等化器について、図７により説明すると、図において、記録媒体である磁気テープ(図示しない)に記録されている情報は、磁気再生装置の機構部(図示しない)に備えられている磁気ヘッド１によって読出され、再生信号として再生アンプ回路２に入力され、ここで増幅された後、検出特性回路３に送られる。
【００１４】
この検出特性回路３は、いわゆるパーシャルレスポンス方式を用いて磁気テープ(ビデオテープ)に記録再生する方式の記録再生機器を想定したもので、このため、パーシャルレスポンスの検出特性(エンコード特性)である(１＋Ｄ)の周波数特性を有している。
【００１５】
次いで、この検出特性回路３の出力信号は、デジタルフィルタ４に入力され、等化処理が施されるが、このデジタルフィルタ４としては、トランスバーサルフィルタなどが用いられ、そのフィルタ特性が、後述する適応制御部９により適応的に設定され、これにより自動等化器としての性能が発揮されるようになっている。
【００１６】
このデジタルフィルタ４の出力信号は復号回路５に供給され、レベル比較により“１”と“０”の２値に弁別して記録時のデータ系列に復号(デコード)され、出力信号ｄとして出力端子６から、図示してない後段の再生信号処理回路などに供給されるが、このとき、同時に誤差検出器として機能する加算器７にも、この出力信号ｄが供給される。
【００１７】
ここで、この加算器７は、復号回路５の出力信号ｄからデジタルフィルタ４の出力ｙを減算して誤差ε(ε＝ｄ−ｙ)を取り出し、この誤差εを適応制御部９に供給する働きをする。
【００１８】
このとき、適応制御部９には、検出特性回路３の出力ｘが参照入力として供給されていて、これにより、適応制御部９は、誤差εの信号パワーが最小値に収斂する方向でデジタルフィルタ４のタップ係数を変更し更新してゆく。
【００１９】
そこで、これにより、磁気記録再生における電磁変換特性の逆特性に近い周波数特性となるように等化特性が設定されて行き、この結果、デジタルフィルタ４と適応制御部９により、いわゆる自動等化フィルタが構成されることになっている。
【００２０】
このとき、適応制御部９からデジタルフィルタ４に至る経路にタップ係数記憶手段として係数メモリ１０が設けてあり、検出特性回路３から適応制御部９に至る経路には記憶手段としてメモリ１２が設けてある。
【００２１】
一方、入力端子１３にはヘッド切換スイッチングパルスＳＷＰが供給されていて、これがタイミング発生回路１４に入力され、これによりタイミング発生回路１４が所定のタイミングパルスを発生するようになっている。
【００２２】
そして、このタイミング発生回路１４から出力されたタイミングパルスが適応制御部９と係数メモリ１０、それにメモリ１２に供給され、この結果、これらにおいてデータ演算処理やデータの取り込みに必要なタイミングが取れるようになっている。
【００２３】
次に、この図７に示した自動等化フィルタの動作について、図８により説明する。ここで、この図８の波形Ａは、回転磁気ヘッドを備えた磁気再生装置において、互いに１８０°の角度割りを持って設置された一対の磁気ヘッドの一方からの再生ＲＦ信号のエンベロープ波形を示しており、テープとの接触開始点Ｐa から接触終了点Ｐb までの期間(１スキャン内)では、ヘッド当たりの変化が原因となってレベル変動が生じている場合の１例を示したものである。
【００２４】
そこで、接触開始点Ｐa から接触終了点Ｐb までの期間(１スキャン内)の複数箇所、例えば６箇所で、図８のＢ１〜Ｂ６に示すタイミングパルスをタイミング発生回路４２で発生させる。
【００２５】
そして、これらの各パルスのタイミングにおいて、検出特性回路３から出力される再生ＲＦ信号ｘをメモリ１２に取り込み、各タイミングでメモリ１２から再生信号データを適応制御部９に入力する。
【００２６】
そこで、適応制御部９は、各々のタイミング毎に最適なフィルタタップ係数Ｔを算出し、それをタップ係数記憶のための係数メモリ１０に入力する。
【００２７】
そして、係数メモリ１０からは、ヘッド当たり波形Ａの各位置に対応したタップ係数Ｔの組合わせが、タイミング発生回路１４で発生したタイミングパルスのタイミングで順次、デジタルフィルタ４に入力され、これによりデジタルフィルタ４による等化特性が決められる。
【００２８】
これにより、ヘッド当たり波形Ａの各部毎に最適なフィルタタップ係数がデジタルフィルタ４に与えられ、この結果、エラーレートの改善に必要な等化特性が得られ、エラーレートの改善が図れることになる。
【００２９】
このとき、図８のＣに示すように、上記各タイミングにそれぞれ１対１で対応してタップ係数を切り換えるようにしてもよいが、更に、これらの各タイミングの間のタップ係数をいわゆる補間により求め、図８のＤに示すように、上記各タイミングよりも細かい時間間隔でタップ係数を切り換えるようにしてもよく、こうすれば、フィルタ特性の急峻な変化が和らげられ、フィルタ係数の切り換えをより円滑にすることができる。
【００３０】
ここで、等化処理や補間処理の演算のための再生信号データ取り込みから最適タップ係数算出までに時間がかかる場合には、再生ＲＦ信号波形の周期性を利用して、１周期前の再生データに基づいたタップ係数を現在の周期の同じタイミングで用いるようにしてもよい。
【００３１】
また、このときの再生ＲＦ信号のエンベロープ波形のレベル変動を低減させる手法として、再生ＲＦ信号のエンベロープ波形のエンベロープ検波を行い、その検波レベル情報を図示してないＡＧＣ回路(可変ゲインアンプ)に入力し、再生ＲＦ信号のレベルを補正することにより、後段の復号(デコード)信号処理回路での復号の際のエラーレートの改善を行う手法も提示されている。
【特許文献１】特開平５−１４３９０８号公報
【発明の開示】
【発明が解決しようとする課題】
【００３２】
ここで、従来技術による自動等化器は、再生ＲＦ信号の品位が比較的良好で安定している場合は、等化器であるデジタルフィルタの適応制御を行い、短時間に最適なフィルタタップ係数の算出を行うことができる。
【００３３】
しかし、再生ＲＦ信号の品位が低い場合、従来技術では、短時間で最適なタップ係数の算出ができないか、算出できたとしてもその算出結果であるタップ係数の信頼性に問題が発生する可能性がある。
【００３４】
また、エンベロープ検波とＡＧＣ回路による再生ＲＦ信号のレベル補正による従来技術では、ＡＧＣ回路のアタックタイム、リカバリータイムなどの設定いかんによっては充分な補正効果が得られるとはいえず、結果としてエラーレートの改善がか図れない可能性がある。
【００３５】
本発明は、このような問題点を解決するためになされたもので、再生信号の状態に合わせて等化器の制御を行うことにより、短時間で良好な収束状態が得られ収束の安定性も良好な自動等化器と自動等化方法及び自動等化プログラムを格納した記憶媒体を提供することを目的とするものである。
【課題を解決するための手段】
【００３６】
上記目的は、再生信号に対する等化特性を等化誤差に応じて制御するようにした自動等化器において、前記等化誤差に対してフィルタ処理を行う時定数フィルタ手段を設け、該時定数フィルタ手段の特性パラメータを、前記再生信号のレベルに応じて制御することにより達成される。
【００３７】
このとき、前記特性パラメータを、前記再生信号のエンベロープ波形のレベル変動に基づいて算出されるようにしても上記目的が達成され、前記再生信号のエンベロープ波形の最大値及び最小値に基づいて算出されるようにしても上記目的が達成される。
【００３８】
また、このとき、前記特性パラメータを、前記再生信号のエンベロープ波形のレベルの傾斜に基づいて算出されるようにしても上記目的が達成され、前記再生信号のエンベロープ波形のレベル変動及び前記レベル変動の時間変動に基づいて算出されるようにしても上記目的が達成される。
【００３９】
同じく、このとき、前記特性パラメータを、前記再生信号のエンベロープ波形のレベル変動が所定の基準値を越えたか否かに基づいて制御されるようにしても上記目的が達成され、前記再生信号のエンベロープ波形のレベル変動と、前記再生信号のエンベロープ波形のレベル変動の時間変動が、所定の基準値を越えたか否かに基づいて制御されるようにしても上記目的が達成される。
【００４０】
更に、このとき、前記再生信号のエンベロープ検波情報を保持するメモリ回路が備けられ、前記特性パラメータが、前記メモリ回路に保持されている前記エンベロープ検波情報に基づいて算出されるようにしても上記目的が達成される。
【００４１】
次に、上記目的は、再生信号に対する等化特性を等化誤差に応じて制御するようにした自動等化方法において、前記再生信号のエンベロープ検波により当該再生信号のレベルを検出する処理ステップと、前記再生信号のレベルに基づいて、前記等化誤差に対してフィルタ処理を行う時定数フィルタ手段のフィルタ時定数特性を制御する処理ステップとを含むことによっても上記目的を達成することができる。
【００４２】
また、上記目的は、再生信号に対する等化特性を等化誤差に応じて制御するようにした自動等化処理の実行に必要なプログラムを格納した記憶媒体であって、前記プログラムにより実行される処理ステップが、前記再生信号のエンベロープ検波により当該再生信号のレベルを検出する処理ステップと、前記再生信号のレベルに基づいて、前記等化誤差に対してフィルタ処理を行う時定数フィルタ手段のフィルタ時定数特性を制御する処理ステップとを含む自動等化プログラムを搭載した記憶媒体によっても上記目的を達成することができる。
【００４３】
実施形態に則して言えば、本発明は、第１の技術手段として、再生信号の等化手段と、前記再生信号から等化誤差を検出する等化誤差検出手段と、前記等化誤差検出手段により前記再生信号から検出される等化誤差に対してフィルタ処理を行う時定数フィルタ手段と、前記エラー検出手段及び前記時定数フィルタ手段により検出されフィルタ処理されたエラー情報に応じて前記等化手段の等化特性を制御する制御手段と、再生信号のエンベロープ検波を行うエンベロープ検波手段と、再生信号の周期に応じてタイミング信号を発生するタイミング発生手段と、を備えた自動等化器であって、前記時定数フィルタ手段の特性を前記エンベロープ検波手段からの検波情報により制御する磁気再生装置における自動等化器を第１の技術手段とすることを特徴とするものである。
【００４４】
次に、第２の技術手段は、前記第１の技術手段に記載の自動等化器において、前記制御手段は、前記エンベロープ検波手段からの検波情報を基に、再生信号のエンベロープ波形のレベル変動を算出することを特徴とするものである。
【００４５】
また、第３の技術手段は、前記第２の技術手段に記載の自動等化器において、前記制御手段は、前記エンベロープ検波手段からの検波情報を基に算出する再生信号のエンベロープ波形のレベル変動を示す数値として、波形レベルの最大値及び最小値を算出することを特徴とするものである。
【００４６】
同じく第４の技術手段は、前記第２の技術手段に記載の自動等化器において、前記制御手段は、前記エンベロープ検波手段からの検波情報を基に算出する再生信号のエンベロープ波形のレベル変動を示す数値として、波形レベルの傾斜を算出することを特徴とするものである。
【００４７】
また、第５の技術手段は、前記第２の技術手段に記載の自動等化器において、前記制御手段は、前記エンベロープ検波手段からの検波情報を基に、再生信号のエンベロープ波形のレベル変動を算出するとともに、前記レベル変動の時間変動も算出することを特徴とするものである。
【００４８】
更に、第６の技術手段は、前記第２の技術手段に記載の自動等化器において、前記制御手段は、前記エンベロープ検波手段からの検波情報から算出された再生信号のエンベロープ波形のレベル変動を基に、所定の基準値を超えるかどうかに基づいて、前記時定数フィルタ手段の特性パラメータを制御することを特徴とするものである。
【００４９】
また、第７の技術手段は、前記第３の技術手段に記載の自動等化器において、前記制御手段は、前記エンベロープ検波手段からの検波情報から算出された再生信号のエンベロープ波形のレベル変動と、前記レベル変動の時間変動を基に、所定の基準値を超えるかどうかに基づいて、前記時定数フィルタ手段の特性パラメータを制御することを特徴とするものである。
【００５０】
更に、第８の技術手段は、前記第２または第５の技術手段に記載の自動等化器において、前記エンベロープ検波情報を保持するメモリ回路を備えており、前期制御手段は、前記メモリ回路に保持されている前記エンベロープ検波情報を基に、前記時定数フィルタ手段の特性パラメータを制御することを特徴とするものである。
【００５１】
一方、第９の技術手段は、自動等化器において、再生信号の等化処理を行う方法であって、再生信号からエンベロープ検波を行なうステップと、前記検出した検波情報に基づいて、時定数フィルタ特性の制御を行うステップと、を含む方法であることを特徴とするものである。
【００５２】
そして、第１０の技術手段は、デジタル再生装置において、再生信号の等化処理を行うためのプログラムであって、再生信号からエンベロープ検波を行なうステップと、前記検出したエラーに応じて、前記検出した検波情報に基づいて、時定数フィルタ特性の制御を行うステップと、を含むプログラムであることを特徴とするものである。
【００５３】
これにより、再生ＲＦ信号のエンベロープ検波情報を基にして、再生状態により適応した等化特性の制御を行うことが可能となる。
【発明の効果】
【００５４】
本発明に拠れば、再生信号から検出されるエンベロープ検波情報を用いて再生RF信号の品位評価を行い、その情報を基に等化誤差に対するフィルタ処理を行う時定数フィルタの設定制御をしているので、等化器の柔軟な制御を行うことができ、結果として、等化特性の良好な収束を得ることができる。
【発明を実施するための最良の形態】
【００５５】
以下、本発明による自動等化器と自動等化方法及び自動等化プログラムについて、図示の実施の形態により詳細に説明する。
【００５６】
図１は、本発明を、一例として磁気再生装置に内蔵されて使用されるようにした場合の一実施形態で、図において、８は時定数フィルタ回路、１１はエンベロープ検波回路であり、それに１５は、この実施形態に係る自動等化器を表わすものである。
【００５７】
そして、この自動等化器１５においても、磁気ヘッド１、再生アンプ回路２、検出特性回路３、等化手段としてのデジタルフィルタ４、復号回路５、出力端子６、加算器(誤差検出器)７、時定数フィルタ回路８、適応制御部９、係数メモリ１０、メモリ１２、入力端子１３、それにタイミング発生回路１４は、図７で説明した従来技術による自動等化フィルタと同じである。
【００５８】
ここで、まず、時定数フィルタ回路８は、加算器７で検出された等化誤差εに対してフィルタ処理を行ない、フィルタ処理された誤差ε'が適応制御部９に供給されるようにするものであるが、このとき、この時定数フィルタ回路８は、適応制御部９から供給される制御情報ｃを特性パラメータとし、これにより、そのフィルタ時定数が制御されるようになっている。
【００５９】
次に、エンベロープ検波回路１１は、再生ＲＦ信号から生成された検出特性回路３の出力ｘのエンベロープ検波を行い、その検波出力ｅをメモリ回路１２に供給する働きをする。従って、このメモリ１２からは、検出特性回路３の出力情報ｘと、エンベロープ検波回路１１からのエンベロープ検波情報ｅの双方が出力され、適応制御部９に供給されることになる。
【００６０】
そこで、適応制御部９は、メモリ１２の出力情報(ｘ及びｅ)と、時定数フィルタ回路８の出力情報ε'の双方の情報に基いてデジタルフィルタ４のタップ係数Ｔを算出すると共に、制御信号ｃを算出して時定数フィルタ回路８のフィルタ時定数の変更を行なう。
【００６１】
そして、これにより、等化誤差εがゼロに収斂する方向に各構成回路の制御が行なわれ、結果として、再生回路の等化特性が磁気記録再生の際の電磁変換特性の逆特性に近い周波数特性となるように設定されることになる。
【００６２】
次に、この実施形態による再生信号の自動等化処理に必要な適応制御部９の動作について、図２のフローチャートにより説明する。
【００６３】
ここで、この図２のフローチャートは、エンベロープ検波回路１１から出力される再生信号のエンベロープ検波情報に基づいてエンベロープ波形のレベルの最大値Ｌmax 及び最小値Ｌmin を算出し、適応制御動作を行うようにした場合の一実施形態であるが、しかし、本発明の実施形態は、エンベロープ検波情報から算出する数値情報は、前記の最大値Ｌmax 及び前記の最小値Ｌmin に限定されものではない。
【００６４】
図２のフローチャートによる処理が開始したら、適応制御部９は、まず、メモリ回路１２を介して、エンベロープ検波回路１１からエンベロープ検波情報ｅを入力し、エンベロープ波形のレベルの最大値Ｌmax 及び最小値Ｌmin を検出する(Ｓ１０１)。
【００６５】
ここで、図５(a)〜(e)は、一例として、テープとの接触開始点から接触終了までの期間(１スキャン内)の再生ＲＦ信号の例を示したもので、この場合、適応制御部９は、例えば図示のように、テープと磁気ヘッドの接触開始点から接触終了までの期間内(１スキャン内)で信号レベルの最大値及び最小値を検出し、エンベロープ波形のレベルの最大値Ｌmax と最小値Ｌmin としてやればよい。
【００６６】
こうして最大値Ｌmax と最小値Ｌmin を取得したら、次に適応制御部９は、これらに基づいてレベル情報差分ΔＬを算出する(Ｓ１０２)。ここでは、以下の式に従って、
ΔＬ＝Ｌmax−Ｌmin
として算出する。
【００６７】
なお、このレベル情報差分ΔＬの算出例では、算出に際して正規化を行なっていないが、エンベロープ波形の平均値レベルＬave を算出し、レベル情報差分ΔＬをこの平均レベルＬave で除算することで正規化したレベル情報差分ΔＬ'を用いるようにしても良い。
【００６８】
次に、このレベル情報差分ΔＬを、予め設定してある設定値(基準値)と比較する(Ｓ１０３)。そして、まず、比較結果がＹＥＳ、つまりレベル情報差分ΔＬが設定値未満のときは、再生ＲＦ信号の変動が比較的小さいものと判断し、時定数フィルタ回路８の設定値(フィルタ時定数)としてフィルタ時定数１を選択・設定して制御を行う(Ｓ１０４)。
【００６９】
一方、比較結果がＮＯ、つまりレベル情報差分ΔＬが設定値以上のときは、再生ＲＦ信号の変動が比較的大きいものと判断し、このときは時定数フィルタ回路８の設定値(フィルタ時定数)として、フィルタ時定数１より小さい数値であるフィルタ時定数２を選択・設定して制御を行うのである(Ｓ１０５)。
【００７０】
このように、本発明においては、再生信号をエンベロープ検波して得たレベル情報からレベル情報差分ΔＬを算出し、それを予め設定してある基準値と比較し、その比較結果に基づいて時定数フィルタのフィルタ時定数を異なったものに設定して等化特性の収束精度の向上が得られるようにしたものである。
【００７１】
ここで、本発明のように、再生信号を等化処理する際、再生信号のレベル変動が少ないときは、時定数フィルタのフィルタ時定数を小さくして応答性を良くするよりも、フィルタ時定数を大きくして精度のよい等化処理を行なうことが優先され、逆に再生信号のレベル変動が多い場合は、フィルタ時定数を小さくすることで多少の等化精度の低下が発生しても応答性が優先される場合がある。
【００７２】
つまり、上記実施形態では、再生信号のレベル変動が少ないときは、時定数フィルタ回路８のフィルタ時定数を小さくして等化精度の向上を図り、逆に、レベル変動が多いときは、フィルタ時定数を小さくして等化特性が迅速に収束することを図るようにしたたものである。
【００７３】
従って、上記実施形態に拠れば、再生信号の状態に合わせて等化器の特性が自動的に制御されるので、等化特性が短時間で安定した状態に収束し、高精度で応答性の良い等化特性を容易に得ることができる。
【００７４】
次に、本発明の他の実施形態について、図３により説明する。ここで、この実施形態は、再生信号が長周期の比較的大きなレベル変動をもっていた場合は、時定数フィルタ回路８の時定数の切り換えを行わないようにした点を特徴とするものであり、この図３において、１６は誤差メモリであり、その他の構成は、図１に示した実施形態と同じである。
【００７５】
ここで、この誤差メモリ１６は、エンベロープ波形のレベルの最大値Ｌmax 及び最小値Ｌmin に基づいて算出した１スキャン内のレベル情報差分ΔＬを逐次、各スキャン期間毎に順次、所定の複数スキャン期間にわたって記憶更新して保持する働きをする。
【００７６】
次に、この図３に示した実施形態の動作について、図４のフローチャートにより説明すると、まず、この図４において、図示のステップＳ２０１、Ｓ２０２、Ｓ２０５、Ｓ２０６、Ｓ２０７は、それぞれ図２におけるステップＳ１０１、Ｓ１０２、Ｓ１０３、Ｓ１０４、Ｓ１０５と同じ処理である。
【００７７】
従って、この図４のフローチャートにおいても、適応制御部９は、処理を開始したら、まず、エンベロープ検波回路１１からメモリ回路１２を介してエンベロープ検波情報ｅを入力し、エンベロープ波形のレベルの最大値Ｌmax 及び最小値Ｌmin 検出し(Ｓ２０１)、次いで、これらのレベル情報に基づいてレベル情報差分ΔＬを算出する(Ｓ２０２)。
【００７８】
しかして、この後は、図２のときとは異なり、いま算出したレベル情報差分ΔＬから、このレベル情報差分ΔＬの変動を表わすレベル時間変動情報ΔＬt を算出する(Ｓ２０３)。このとき、適応制御部９は、誤差メモリ１６に保持されているデータを使用し、所定期間の前後にあるレベル情報差分ΔＬ同士を比較してレベル時間変動情報ΔＬt を算出する。
【００７９】
このとき、このレベル時間変動情報ΔＬt を算出するための基準時間単位としては、テープとの接触開始点から接触終了までの期間(１スキャン期間)の２倍以上の期間にしてやれば良く、更には、ＴＶ信号の１フレーム期間や、それ以上の長期間に設定することも可能である。
【００８０】
次に、このレベル時間変動情報ΔＬt を、予め設定してある設定値１(基準値１)と比較する(Ｓ２０４)。そして、比較結果がＹＥＳのときはステップ２０５の処理に進み、結果がＮＯのときはステップ２０８の処理に進む。
【００８１】
そして、まず、比較結果がＹＥＳ、つまりレベル時間変動情報ΔＬt が設定値１未満のときは、再生ＲＦ信号の変動が、かなり長い期間、つまり１スキャン期間の２倍以上の期間にわたっても比較的小さいものと判断し、次いで、このときのレベル情報差分ΔＬを、予め設定してある設定値２(基準値２)と比較する(Ｓ２０５)。
【００８２】
そして、このステップＳ２０５で判定結果がＹＥＳ、つまりレベル情報差分ΔＬが予め設定してある設定値２未満の場合には、再生ＲＦ信号の短期間での変動が比較的小さいと判断して、時定数フィルタ回路８の設定値(フィルタ時定数)としてフィルタ時定数１を選択・設定して制御を行う(Ｓ２０６)。
【００８３】
また、ステップＳ２０５での比較結果がＮＯ、つまりレベル情報差分ΔＬが設定値以上のときは、再生ＲＦ信号のレベル変動が、短期間では比較的大きいものと判断し、このときは時定数フィルタ回路８の設定値(フィルタ時定数)として、フィルタ時定数１より小さい数値であるフィルタ時定数２を選択・設定して制御を行うのである(Ｓ２０７)。
【００８４】
一方、ステップ２０４での結果がＮＯで、ステップ２０８に進んだときは、長期間にわたってみた場合でも再生ＲＦ信号のレベル変動が大きいとものと判断し、時定数フィルタ回路８の設定値(フィルタ時定数)としてフィルタ時定数３を選択・設定し、制御を行うのである。
【００８５】
このときのフィルタ時定数３としては、一般的にフィルタ時定数２より大きい数値を設定するが、フィルタ時定数２とは異なる数値を設定してもよいし、同等の数値としてもよい。
【００８６】
すなわち、その設定例としては、
(例１)  フィルタ時定数３＞フィルタ時定数１＞フィルタ時定数２
(例２)  フィルタ時定数３＝フィルタ時定数１＞フィルタ時定数２
などが挙げられる。
【００８７】
従って、この実施形態に拠っても、再生信号の状態に合わせて等化器の特性が自動的に制御されるので、等化特性が短時間で安定した状態に収束し、高精度で応答性の良い等化特性を容易に得ることができる。
【００８８】
このとき、この図３に示した実施形態に拠れば、長期間にわたって再生ＲＦ信号のレベル変動が大きい場合は、ステップＳ２０４から直ちにフィルタ時定数３による等化処理に移行させることができる。
【００８９】
ところで、以上に説明した実施形態では、フィルタ時定数が固定値になっているが、前回のフィルタ時定数の設定値やその変移により適宜変動する数値とすることも可能であり、動作フローチャート自体にヒステリシス特性を持たせて制御することも可能である。
【００９０】
また、適応制御部９によるエンベロープ波形のレベルの最大値Ｌmax と最小値Ｌmin の検出については、テープと磁気ヘッドの接触開始点から接触終了までの期間内(１スキャン内)の最大値及び最小値を算出している手法であるが、それに限定するものではなく、前記１スキャン期間を複数の期間に分割して、その各分割期間でそれぞれ最大値及び最小値を算出してもよい。例えば、図８のＢ１〜Ｂ６に示すように順次遅れたタイミング毎に算出することも可能である。
【００９１】
また、自動等化器１５の適応制御部９において、エンベロープ検波情報から算出する数値情報についても、上記実施形態のように、最大値Ｌmax 及び最小値Ｌmin に限定するものではなく、他の算出情報でも可能である。
【００９２】
この場合、例えば、エンベロープ検波情報の微分値(傾斜情報)などを算出し、その情報に基づいて制御したり、又は更に最大値Ｌmax 及び最小値Ｌmin と組み合わせて制御することも可能である。
【００９３】
また、上記実施形態では、再生信号の等化手段について、デジタルフィルタを用いて説明を行ったが、他の等化手段、例えば、アナログフィルタなどを用いて実施することも可能である。
【００９４】
また、上記実施形態では、自動等化器１５を検出特性回路３と復調回路５の間に配置した場合の構成例であるが、本発明はブロック配置的に限定されるものではなく、図示しない後段の再生処理回路以降に配置しても良いし、自動等化器内に配置して各種処理に使用するブロック構成としても良い。
【００９５】
また、以上に説明した実施形態では、等化誤差を算出する手段として、加算器(誤差検出器)７を用い、復号回路５の出力ｄからデジタルフィルタ４の出力ｙを減算して誤差εを取り出しているが、再生信号から実際に検出されるデータとデータの期待値との差分を抽出した差分値を等化誤差とするものであっても実施可能である。
【００９６】
ところで、デジタルＶＴＲなど場合、その記録媒体には、エラー訂正符号化されたデータが記録されている。そこで、このようなデータを再生する磁気再生装置では、通常、上記エラー訂正符号化に対応するエラー訂正復号回路を備えている。
【００９７】
ここで、このエラー訂正復号回路は、データ検出回路から出力されるデータを復号してエラーの検出及び訂正を行うものであり、従って、エラー訂正復号回路から検出されるエラー数或いはエラー率は、再生信号の等化を表わしている。そこで、このエラー数或いはエラー率を、そのまま再生信号の等化誤差として用いてもよい。
【００９８】
また、このとき、上記の再生信号から実際に検出されるデータとデータの期待値との差分値及び上記のエラー訂正復号回路において検出されるエラー数の両方から等化誤差を求めるようにしてもよい。
【００９９】
以上、本発明による自動等化器について、実施形態を用いて説明したが、本発明における自動等化器は、上記した実施の形態に限定されるものではない。本発明の要旨を逸脱しない範囲内において、本発明に様々な変更を加えることが可能である。
【０１００】
例えば、上記した本発明の自動等化器における各機能及び手段を、等化処理の適応制御用のマイクロコンピュータ等において実行されるプログラムとして実装していてもよいし、また、かかる等化プログラムをコンピュータにより読み取り可能なプログラム記録媒体に記録させ、自動等化プログラムを搭載した記憶媒体としても良いし、更には、前述したごとき自動等化処理を実現する等化方法を用いた如何なる機構によって具現化するようにしても良い。
【０１０１】
更には、前述のごとき自動等化器を装備したり、或いは前述のごとき等化方法を実現する機構を備えさせたり、或いは前記等化プログラムをコンピュータにより実行させたり、或いは前記等化プログラムを記録したプログラム記録媒体から前記等化プログラムを読み取って、コンピュータにより実行させたりすることによって、自動等化処理を行なうようにしても良い。
【図面の簡単な説明】
【０１０２】
【図１】本発明による自動等化器の一実施形態を示すブロック図である。
【図２】本発明による自動等化器の一実施形態の動作を説明するためのフローチャートである。
【図３】本発明による自動等化器の他の一実施形態を示すブロック図である。
【図４】本発明による自動等化器の他の一実施形態の動作を説明するためのフローチャートである。
【図５】本発明が対象とする再生エンベロープ波形の説明図である。
【図６】適応制御タイミングの一例を説明するための再生エンベロープ波形図である。
【図７】従来技術による自動等化器の一例を示すブロック図である。
【図８】適応制御タイミングの他の一例を説明するための再生エンベロープ波形図である。
【符号の説明】
【０１０３】
１：磁気ヘッド
２：再生アンプ回路
３：  検出特性回路
４：デジタルフィルタ
５：復号回路
６：出力端子
７：加算器(誤差検出器)
８：時定数フィルタ回路
９：適応制御部
１０：係数メモリ
１１：エンベロープ検波回路
１２：メモリ
１３：入力端子
１４：タイミング発生回路
１５自動等化器
【図１】
2005174472.tif 000003
【図２】
2005174472.tif 000004
【図３】
2005174472.tif 000005
【図４】
2005174472.tif 000006
【図５】
2005174472.tif 000007
【図６】
2005174472.tif 000008
【図７】
2005174472.tif 000009
【図８】
2005174472.tif 000010